(57)【要約】【課題】本発明は、肌着に抗ガン剤などの点滴用薬液ボトルを保持させるため、点滴用薬液ボトルの重さから肌着が垂れたり伸びたりしないようにした自己点滴用肌着を提供する。【解決手段】本発明の自己点滴用肌着は、前身衣１の肩部稜線２から胸下部に至る２本並列のバイアステープ３，４を縫着し、該バイアステープ３，４の最下部同士をバイアステープ５で連結縫着する。そして、前記バイアステープ３，４の胸下部付近にメッシュ加工した点滴用薬液ボトルポケット６を縫着し、該点滴用薬液ボトルポケット６の上部開口部にはゴム紐等の柔軟性紐７を取り付けて点滴用薬液ボトル１５が抜け落ちないようにする。また、襟口から袖口へ肩部稜線に沿って開くことができるように分離部分８が形成されており、該分離部分８には○印で示す円形の面ファスナー、ホック、ボタン等の着脱自在の固着部材９が設けられている。【選択図】図６
2009249742.tif 000002
【特許請求の範囲】
【請求項１】
肌着の前身衣と後身衣に肩部稜線から裾回りへバイアステープを縦方向に縫いつけ、このバイアステープに前身衣の適度な位置に点滴用薬液ボトルポケットを形成して、前身衣と後身衣のバイアステープにより重さを分散して点滴用薬液ボトルを保持することを特徴とする自己点滴用肌着。
【請求項２】
前記肌着は襟口から袖口へ肩部稜線に沿って開くことができるように分離部分が形成されており、該分離部分には面ファスナー、ホック、ボタン等の着脱自在の固着部材が設けられていることを特徴とする請求項１記載の自己点滴用肌着。
【請求項３】
前記前身衣は襟口から裾回りへ胸中心部を開くことができるように分離部分が形成されており、該分離部分には面ファスナー、ホック、ボタン等の着脱自在の固着部材が設けられていることを特徴とする請求項１記載の自己点滴用肌着。
【発明の詳細な説明】
【技術分野】
【０００１】
本発明は、肌着に抗ガン剤などの点滴用薬液ボトルを保持させるための自己点滴用肌着に関する。
【背景技術】
【０００２】
近年著しい医学の発展により、抗ガン剤などの点滴は、右側首の付け根にある静動脈に自己によって注射針を入れて薬液を注入できるため、病院に入院しなくとも良くなってきている。
そのため、病院からの支給品としては、首から下げる袋状の物があるが、首が疲れる、ボトルが左右に動いて困るなどの課題があった。
【０００３】
従来、ベッドから離れるときに、点滴容器をハンガーに吊り下げた状態で移動する必要がなくなるポータブル点滴装置及びそれを保持するためのジャケットが知られている（特許文献1を参照）。
この公知技術は、点滴容器と、該点滴容器の内部に連通する輸液管と、該輸液管の先端に設けられた注射針と、前記点滴容器に実質的に一定の圧力を付与する装置を具備し、ハンガーに吊り下げて重力により点滴液を滴下させる代わりに、前記点滴容器に一定の圧力を付加することにより点滴液を一定の流量で押し出しているため、ジャケットのポケット等に入れて移動することができるものである。
【０００４】
また、多量の輸液を着装でき、しかも患者に重量感を与えず、外から見ても不自然な感じのしない点滴用上着衣が知られている（特許文献２を参照）。
この公知技術は、点滴用ジャケットの背部内側に医療用液体バックを収容する袋状部と、腕を通すための肩部から両脇付近にかけて内肩紐を設けているため、前記袋状部に医療用液体バックを収容し、前記内肩紐をかけて点滴用ジャケットを着ると、前記内肩紐によって点滴用液体バックを背負う形になるので、医療用液体バックの重みで背中が引っ張られる感じはなく、医療用液体バックの重みを感じないで自然に活動できるものである。
【特許文献１】特開平１１−１２３２４１号公報
【特許文献２】特開平９−２４０８６号公報
【発明の開示】
【発明が解決しようとする課題】
【０００５】
本発明は、肌着に抗ガン剤などの点滴用薬液ボトルを保持させるため、点滴用薬液ボトルの重さから肌着が垂れたり伸びたりしないようにした自己点滴用肌着を提供することを目的とする。
【課題を解決するための手段】
【０００６】
本発明は、肌着の前身衣と後身衣に肩部稜線から裾回りへバイアステープを縦方向に縫いつけ、このバイアステープに前身衣の適度な位置に抗ガン剤などの点滴用薬液ボトルポケットを形成して、前身衣と後身衣のバイアステープにより重さを分散して点滴用薬液ボトルを保持するものである。
【０００７】
前記肌着は襟口から袖口へ肩部稜線に沿って開くことができるように分離部分が形成されており、該分離部分には面ファスナー、ホック、ボタン等の着脱自在の固着部材が設けられている。
前記前身衣は襟口から裾部へ胸中心部を開くことができるように分離部分が形成されており、該分離部分には面ファスナー、ホック、ボタン等の着脱自在の固着部材が設けられている。
【発明の効果】
【０００８】
本発明の自己点滴用肌着では、長い人で数年間点滴を打ち続ける場合もあり、仕事をしつつ必要に応じて点滴を打つことが必要であり、点滴用薬液ボトルの取付位置は右脇下が位置的にはよく、また薬液用チューブが肩から通せることで便利になった。
本発明の自己点滴用肌着では、作業着の上から点滴用薬液ボトルが見えず、作業着の上からでは注射針も見えない為、仕事で営業や作業に携わることに抵抗がなくなった。
本発明の自己点滴用肌着では、肌着に点滴用薬液ボトルを保持しているので、マラソンやスキーなどを癌患者であっても楽しむことができる。
本発明によって肌着に新たな役割が生じ、今まで肌着は汗や体温を保持程度と考えられていたが、点滴用薬液や栄養剤などを体内に自己において注入することが安易となった。
本発明の自己点滴用肌着では、病院内は冷暖房が効いており、薄着であることからポケットが少なく、肌着にポケットを付けると、忘れてはならない物、貴重品などを入れておけるので移動に便利である。
点滴用薬液ボトルの溶液は、体温と相当に離れていると、点滴用薬液ボトルのガス類の圧力低下に繋がり、規定の薬液が体内に入らないという危険があり、本発明の自己点滴用肌着では、肌着にポケットを付けることにより体温と同じにすることによりそれら課題は防げる。
本発明の自己点滴用肌着では、襟口から袖口まで両方全てが開く肌着であり、それに点滴用薬液ボトルポケットを取り付けることにより、自己点滴が安全かつ簡単に行うことができる。
【発明を実施するための最良の形態】
【０００９】
本発明の自己点滴用肌着の一実施例を添付図面に基づいて、以下に説明する。
図１は、本発明の自己点滴用肌着の正面図であり、前身衣１の肩部稜線２から右胸下部に至る２本並列のバイアステープ３，４を縫着し、該バイアステープ３，４の最下部同士をバイアステープ５で連結縫着する。
そして、同図２に示すように前記バイアステープ３，４の右胸下部付近にメッシュ加工した点滴用薬液ボトルポケット６を縫着し、該点滴用薬液ボトルポケット６の上部開口部にはゴム紐等の柔軟性紐７を取り付けて点滴用薬液ボトルが抜け落ちないようにする。
また、従来の肌着では肩から首にかけて両方が開く肌着がなかったが、本発明の自己点滴用肌着は襟口から袖口へ肩部稜線に沿って開くことができるように分離部分８が形成されており、該分離部分８には○印で示す面ファスナー、ホック、ボタン等の着脱自在の固着部材９が設けられている。
なお、前身衣１の肩部稜線２から右胸下部に至る２本並列のバイアステープ３，４を示したが前身衣１の肩部稜線２から左胸下部に至る２本並列のバイアステープ３，４でも同様であり、図８に示している。
また、肩から首にかけて両方が開く肌着は、図４に示している。
図３は、本発明の自己点滴用肌着の背面図であり、後身衣１０の肩部稜線２から裾回り１８に至るバイアステープ１１を縦方向に縫着し、前身衣１が下がらないように後ろから引っ張るように形成する。
前記後身衣１０に縫い付けるバイアステープ１１は、前身衣１が異常に下がらないようにしたものであり、点滴用薬液ボトルの重さを測り、強度を検討して本数を増やすなどの設計変更をすることができる。
また、前記後身衣１０の襟部１２には、肌着の中心がわかるようにハートマーク１３を付ける。
【００１０】
図４は、本発明の自己点滴用肌着の両肩部に分離部分を設けた正面図を示し、図１及び図２に示したように襟口から袖口へ肩部稜線２に沿って開くことができるように分離部分８が形成されており、該分離部分８には○印で示す面ファスナー、ホック、ボタン等の着脱自在の固着部材９が設けられている。
この自己点滴用肌着では、襟口から袖口まで両肩部全てが開く肌着であり、それに点滴用薬液ボトルポケット６を取り付けることにより、自己点滴が安全かつ簡単に行えることができる。
【００１１】
図５は、本発明の自己点滴用肌着の前あき部分を設けた正面図を示し、図４の両肩部に前記分離部分８を設けた自己点滴用肌着に、さらに前あき部分１４を設けた自己点滴用肌着を示し、襟口から裾回り１８へ胸中心部を開くことができるように分離部分８が形成されており、該分離部分８には○印で示す面ファスナー、ホック、ボタン等の着脱自在の固着部材９が設けられている。
そして、前記固着部材９は、裾回り１８から襟口へ向かって徐々に面ファスナー、ホック、ボタン等の間隔を狭めて形成し、面ファスナーのみでは点滴用薬液ボトルの重さに堪えられない場合もあることから、ホックやボタンなどを複数個付けて補強する。
【００１２】
次に、本発明の自己点滴用肌着の操作動作を添付図面に基づいて、以下に説明する。
図６は、本発明の自己点滴用肌着の使用状態を示す正面図であり、メッシュ加工した点滴用薬液ボトルポケット６に点滴用薬液ボトル１５を入れ、該点滴用薬液ボトル１５から薬液用チューブ１６を介して右肩部の静動脈点滴用器具１７に接続される。
その際、自己点滴用肌着の右肩部の分離部分８の襟口を広げて、前記静動脈点滴用器具１７及び薬液用チューブ１６を楽に装着することができる。
装着し終わったら、○印で示す面ファスナー、ホック、ボタン等の着脱自在の固着部材９を閉じる。
【００１３】
図７の本発明の自己点滴用肌着の使用状態を示す右側面図に示すように、点滴用薬液ボトル１５の重さを前身衣１のバイアステープ３，４で上方に持ち上げ、さらに後身衣１０のバイアステープ１１で後からも引くことにより、肩に掛かる負担と布地に掛かる力を分散することができる。
また、前身衣１のバイアステープ３，４とすることにより、肌着の縦地に対して柔らかく馴染ませることができるし、バイアステープ３，４を複数とすることにより、引く力を分散させることができる。
【００１４】
図８は、本発明の自己点滴用肌着の左腕点滴注射時の使用状態を示す正面図であり、メッシュ加工した点滴用薬液ボトルポケット６に点滴用薬液ボトル１５を入れ、該点滴用薬液ボトル１５から薬液用チューブ１６を介して左腕の注射針３１に接続される。
その際、自己点滴用肌着の左袖部の分離部分８を広げて、前記注射針３１及び薬液用チューブ１６を楽に装着することができる。
装着し終わったら、○印で示す面ファスナー、ホック、ボタン等の着脱自在の固着部材９を閉じる。
なお、３１は点滴用の注射針である。
【００１５】
図９の本発明の自己点滴用肌着の袖部の開放状態を示す左側面図に示すように、図９の袖部の開放状態から図１０の袖部の閉鎖状態へ移動させることにより、本発明の自己点滴用肌着の装着を簡単に行うことができる。
なお、１９は袖中心線、２０は左袖下前身衣、２１は袖縫い代、２２は首回り、２３はネックポイント、２４はショルダーポイント、２５は突き合わせた状態、２６は左袖開放時（上前身衣）、２７は左袖、２８は肩縫い代、２９は閉じた処（着用時）、３０は前部移動図である。
【００１６】
このように、本発明の自己点滴用肌着は、点滴用薬液ボトル１５の重さから肌着が垂れたり伸びたりしないよう、前身衣１に複数本のバイアステープ３，４と後身衣に複数本のバイアステープ１１を適度な長さにして縫い付けることで、点滴用薬液ボトル全体の重さが１カ所に集中しないよう工夫した。
前あき部分１４では、芯を張るなどの丈夫にして、垂れることを防いでいる。
点滴用薬液ボトル１５の重さを肩の部分で均等になるようにし、面ファスナーのみでは重さに堪えられない場合もあることから、ホックやボタンなどを複数個付けて補強する。
点滴用薬液ボトル１５を入れるポケット６は、大きめのメッシュとし、全体の軽さを求めている。
点滴用薬液ボトルポケット６の口部分では、ゴム紐等の柔軟性紐７を取り付けるなどで点滴用薬液ボトル１５が抜けて落ちることを防ぎ、中身の検証もできるようにした。
また、点滴用薬液ボトルポケット６に洗濯時にも塵が溜まらず良い。
【図面の簡単な説明】
【００１７】
【図１】本発明の自己点滴用肌着の正面図である。
【図２】本発明の自己点滴用肌着の点滴用薬液ボトルポケットを設けた正面図である。
【図３】本発明の自己点滴用肌着の背面図である。
【図４】本発明の自己点滴用肌着の両肩部に分離部分を設けた正面図である。
【図５】本発明の自己点滴用肌着の前あき部分を設けた正面図である。
【図６】本発明の自己点滴用肌着の使用状態を示す正面図である。
【図７】本発明の自己点滴用肌着の使用状態を示す右側面図である。
【図８】本発明の自己点滴用肌着の左腕点滴注射時の使用状態を示す右側面図である。
【図９】本発明の自己点滴用肌着の袖部の開放状態を示す左側面図である。
【図１０】本発明の自己点滴用肌着の袖部の閉鎖状態を示す左側面図である。
【符号の説明】
【００１８】
１  前身衣
２  肩部稜線
３  バイアステープ
４  バイアステープ
５  バイアステープ
６  点滴用薬液ボトルポケット
７  柔軟性紐
８  分離部分
９  固着部材
１０  後身衣
１１  バイアステープ
１２  襟口
１３  ハートマーク
１４  前あき部分
１５  点滴用薬液ボトル
１６  薬液用チューブ
１７  静動脈点滴用器具
１８  裾回り
１９  袖中心線
２０  左袖下前身衣
２１  袖縫い代
２２  首回り
２３  ネックポイント
２４  ショルダーポイント
２５  突き合わせた状態
２６  左袖開放時（上前身衣）
２７  左袖
２８  肩縫い代
２９  閉じた処（着用時）
３０  前部移動図
３１  注射針
【図１】
2009249742.tif 000003
【図２】
2009249742.tif 000004
【図３】
2009249742.tif 000005
【図４】
2009249742.tif 000006
【図５】
2009249742.tif 000007
【図６】
2009249742.tif 000008
【図７】
2009249742.tif 000009
【図８】
2009249742.tif 000010
【図９】
2009249742.tif 000011
【図１０】
2009249742.tif 000012